(57)【特許請求の範囲】
【請求項１】
人体に装着されて、人体を放射線から防護する放射線防護用品において、
放射線を遮蔽する遮蔽部材と、
前記遮蔽部材を包囲する防水性シートで成る内カバーと、
前記内カバーを覆い、かつ、該内カバーに対して着脱自在な外カバーと、
を備え、
前記外カバーは、放射線防護用品を人体に脱着するために用いられる係止用治具と、外カバーを内カバーに着脱するために用いられる開閉用治具とを有し、
前記遮蔽部材は、人体の胴体の前を覆う第１覆い部と、胴体の後を覆う第２覆い部と、を有し、
前記第１覆い部は、人体の胴体の左前を覆う覆い部と、胴体の右前を覆う覆い部とに分かれており、
人体の胴体の左前を覆う覆い部と胴体の右前を覆う覆い部は、それぞれ、人体の肩の部分に対応する部分で前記第２覆い部に繋がっていて、肩に対応する部分で前記第２覆い部から分かれており、
前記外カバーは、人体の胴体の左前及び右前に対応する部分と、胴体の背中に対応する部分と、を有し、前記左前及び右前に対応する部分は、肩に対応する部分で繋がり、かつ、前記背中に対応する部分の左横腹及び右横腹の部分で繋がっており、前記開閉用治具は、前記外カバーの胴体の背中に対応する部分に設けられており、
前記遮蔽部材を包囲している内カバーは、前記開閉用治具を開いた箇所から前記外カバー内に挿入され、このとき、前記第１覆い部の胴体の左前及び右前を覆う覆い部の各先端側から前記外カバーの胴体の左前及び右前に各対応する部分に入れ込み、前記第２覆い部を前記外カバーの胴体の背中に対応する部分に入れ込んで成る、放射線防護用品。
【発明の詳細な説明】
【技術分野】
【０００１】
本発明は、人体に装着されて、人体を放射線から防護する放射線防護用品に関するものである。
【背景技術】
【０００２】
従来から、放射線防護用品において、人体の胴体部分を放射線（Ｘ線、α線、β線、ガンマ線等）から防護するものが知られている（例えば特許文献１参照）。この放射線防護用品は、放射線遮蔽シートと、放射線遮蔽シートを保護する塩化ビニル樹脂等のシート材から成る最内層及び最外層とによって構成されている。放射線防護用品の周縁部は、逢着されている。また、人体の手を放射線から防護する放射線防護用品も知られている（例えば特許文献２参照）。この放射線防護用品は、Ｘ線遮断シートによって構成されており、Ｘ線遮断シートは、ビニールシートの基材層と、基材層の裏面に設けられた銅層と、基材層の表面に設けられたスズ層と、銅層の裏面に設けられたビニールシートの裏面層と、スズ層の表面に設けられたビニールシートの表面層とによって構成されている。Ｘ線遮断シートの周縁部は、熱溶着されている。また、放射線防護用品の上に着用して使用する使い捨ての滅菌衣が知られている（例えば特許文献３参照）。この滅菌衣は、放射線防護用品の上に重ね着するものであり、耐水性、撥水性、及び気密性を有する樹脂製シート又は樹脂によりラミネートされたシートによって構成されている。
【先行技術文献】
【特許文献】
【０００３】
【特許文献１】特開２０１２−１３２１２７号公報
【特許文献２】特開２００７−２８５９７１号公報
【特許文献３】特開２００４−１８７９１３号公報
【発明の概要】
【発明が解決しようとする課題】
【０００４】
ところで、特許文献１、２に記載のような放射線防護用品は、放射性物質が飛散する環境下で使用すると、放射線防護用品が汚染（放射線防護用品に放射性物質が付着）し、使用を続けると、放射線防護用品の汚染が進んでいく。そこで、放射線防護用品の使用後に放射線防護用品を洗濯して除染する（付着した放射性物質を洗い落とす）ことが考えられる。しかしながら、放射線防護用品を洗濯すると、過度に湾曲したり折れ曲がるなどして、放射線防護用品が破損する虞がある。このため、放射線防護用品は、ある程度の回数を使用すると、廃棄処分されていた。また、特許文献３に記載のような滅菌衣は、単に、放射線防護用品の上に着用するだけであるので、滅菌衣と放射線防護用品との間に放射性物質が侵入して、放射線防護用品が汚染される虞がある。このため、この滅菌衣を用いたとしても、放射線防護用品は、ある程度の回数を使用すると、廃棄処分する必要がある。
【０００５】
本発明は、上記課題を解決するためになされたものであり、放射線防護用品を汚染されていない状態に保ち、放射線防護用品を長期に亘って使用可能とすることができる放射線防護用品を提供することを目的とする。
【課題を解決するための手段】
【０００６】
上記目的を達成するために本発明の放射線防護用品は、人体に装着されて、人体を放射線から防護する放射線防護用品において、放射線を遮蔽する遮蔽部材と、前記遮蔽部材を包囲する防水性シートで成る内カバーと、前記内カバーを覆い、かつ、該内カバーに対して着脱自在な外カバーと、を備え、前記外カバーは、放射線防護用品を人体に脱着するために用いられる係止用治具と、外カバーを内カバーに着脱するために用いられる開閉用治具とを有し、前記遮蔽部材は、人体の胴体の前を覆う第１覆い部と、胴体の後を覆う第２覆い部と、を有し、前記第１覆い部は、人体の胴体の左前を覆う覆い部と、胴体の右前を覆う覆い部とに分かれており、人体の胴体の左前を覆う覆い部と胴体の右前を覆う覆い部は、それぞれ、人体の肩の部分に対応する部分で前記第２覆い部に繋がっていて、肩に対応する部分で前記第２覆い部から分かれており、前記外カバーは、人体の胴体の左前及び右前に対応する部分と、胴体の背中に対応する部分と、を有し、前記左前及び右前に対応する部分は、肩に対応する部分で繋がり、かつ、前記背中に対応する部分の左横腹及び右横腹の部分で繋がっており、前記開閉用治具は、前記外カバーの胴体の背中に対応する部分に設けられており、前記遮蔽部材を包囲している内カバーは、前記開閉用治具を開いた箇所から前記外カバー内に挿入され、このとき、前記第１覆い部の胴体の左前及び右前を覆う覆い部の各先端側から前記外カバーの胴体の左前及び右前に各対応する部分に入れ込み、前記第２覆い部を前記外カバーの胴体の背中に対応する部分に入れ込んで成る、ものである。
【発明の効果】
【００１１】
本発明によれば、遮蔽部材を包囲する内カバーが外カバーにより覆われているので、遮蔽部材及び内カバーが放射性物質により汚染されるのを防止することができる。しかも、外カバーが内カバーに対して着脱自在であるので、外カバーを取外して洗濯することにより、外カバーを除染（付着した放射性物質を洗い落とす）することができ、又は、外カバーを使い捨てにして新しいものと交換することができる。これにより、放射線防護用品を汚染されていない状態に保つことができ、放射線防護用品を長期に亘って使用することが可能となる。
また、遮蔽部材の左前及び右前を覆う覆い部が、肩に対応する部分で胴体の後を覆う覆い部から分かれており、胴体の後を覆う覆い部の横腹に対応する部分で繋がっていないので、遮蔽部材を長尺の遮蔽材料から切取って作製する場合、左前及び右前を覆う覆い部が、胴体の後を覆う覆い部の横腹に対応する部分で繋がっている構成と比較して、幅の狭い遮蔽材料を用いることができる。これにより、幅の狭い比較的安価な遮蔽材料を使用することができ、安価に放射線防護用品を提供することができる。
【図面の簡単な説明】
【００１２】
【図１】（ａ）は本発明の前提となる放射線防護用品の人体に装着された状態の側面図、（ｂ）は同正面図。
【図２】（ａ）は同放射線防護用品の外カバーを防護本体に取付けた状態の正面図、（ｂ）は同外カバーを防護本体から取外した状態の正面図、（ｃ）は（ｂ）のＡ−Ａ線断面図。
【図３】（ａ）は同放射線防護用品の変形例の人体に装着された状態の正面図、（ｂ）は同背面図。
【図４】同放射線防護用品の防護本体の展開図。
【図５】（ａ）は本発明の一実施形態に係る放射線防護用品の人体に装着された状態の正面図、（ｂ）は同背面図。
【図６】同放射線防護用品の防護本体の展開図。
【図７】同放射線防護用品の外カバーの防護本体への装着方法を示す図。
【図８】（ａ）は同放射線防護用品のさらに別の変形例の人体に装着された状態の正面図、（ｂ）は同背面図。
【図９】同放射線防護用品の防護本体の展開図。
【図１０】（ａ）は同放射線防護用品のさらに別の変形例の人体に装着された状態の正面図、（ｂ）は同背面図。
【図１１】同放射線防護用品の防護本体の展開図。
【発明を実施するための形態】
【００１３】
以下、本発明の前提となる放射線防護用品について図面を参照して説明する。図１（ａ）（ｂ）、図２（ａ）（ｂ）（ｃ）は、放射線防護用品の構成を示す。放射線防護用品１は、人体に装着されて、人体を放射線（Ｘ線、α線、β線、ガンマ線等）から防護するものである。この放射線防護用品１は、人体の首に巻き付けて使用するタイプの防護用品であり、人体の喉（甲状腺）を放射線から防護するものである。放射線防護用品１は、人体を放射線から防護するための防護本体２と、防護本体２を放射性物質による汚染（放射性物質の付着）から保護するための外カバー３と、を備える。外カバー３は、防護本体２に着脱自在であり、放射線防護用品１は、防護本体２に外カバー３を装着した状態で使用される。
【００１４】
防護本体２は、図２（ｂ）（ｃ）に示すように、放射線を遮蔽する遮蔽部材２１と、遮蔽部材２１を包囲する防水性シートで成る内カバー２２と、を有する。遮蔽部材２１は、重金属をポリ塩化ビニルやポリエステル等の合成樹脂に含有させた部材により形成されており、柔軟性を有するシート状をしている。遮蔽部材２１は、複数枚の部材を繋ぎ合せたものでなく、１枚の部材で形成されている。遮蔽部材２１は、重金属を含有していることにより、放射線を遮蔽する能力を有している。内カバー２２は、塩化ビニル等の合成樹脂により形成されており、柔軟性を有するシート状をしている。内カバー２２は、塩化ビニル等の合成樹脂により形成されていることにより、防水性を有している。
【００１５】
防護本体２は、内カバー２２の裏側シート２２ａと表側シート２２ｂとの間に遮蔽部材２１が設けられたシート状をしており、柔軟性を有している。また、防護本体２は、周縁部２３において、裏側シート２２ａと表側シート２２ｂとを全周囲に亘って超音波で溶着した構造となっている。すなわち、防護本体２は、遮蔽部材２１の全体を内カバー２２で包囲して密封した構造となっており、遮蔽部材２１が内カバー２２によって外部の水から保護されている。防護本体２は、人体の胸元から首の部分を覆う覆い部２４と、人体の首に巻き付けて首の全周を覆う一対のベルト部２５と、を有する。遮蔽部材２１は、覆い部２４及びベルト部２５の全体に亘って設けられている。
【００１６】
外カバー３は、図２（ａ）（ｂ）に示すように、内カバー２２（防護本体２）を覆い、かつ、内カバー２２に対して着脱自在になっている。すなわち、外カバー３は、防護本体２の全体を収納し得る袋状になっており、防護本体２の覆い部２４を収納する覆いカバー部３１と、防護本体２のベルト部２５を収納する一対のベルトカバー部３２と、を有する。また、外カバー３は、放射線防護用品１を人体に脱着するために用いられる係止用治具３３と、外カバー３を内カバー２２に対して着脱するために用いられる開閉用治具３４とを有している。係止用治具３３は、一対のベルトカバー部３２の先端側を互いに係止、係止解除するためのものであり、本実施形態では、例えばマジックテープ（登録商標）である。係止用治具３３は、ベルトカバー部３２の先端側に設けられている。開閉用治具３４は、外カバー３を開閉するためのものであり、本実施形態では例えばマジックテープ（登録商標）である。開閉用治具３４は、覆いカバー部３１の裏側に設けられている。すなわち、覆いカバー部３１は、その裏側に、開口３ａを開閉するための蓋部３ｂを有しており、開閉用治具３４は、蓋部３ｂによって開口３ａを開閉するためのものである。
【００１７】
外カバー３は、ナイロン生地又はポリエステルから成り、その表面に超撥水加工が施され、洗濯して再使用可能なものである。また、外カバー３は、柔軟性を有している。外カバー３の防護本体２への着脱は、外カバー３の開閉用治具３４により外カバー３を開いて行われ、ベルト部２５の先端側から防護本体２を外カバー３内に挿入して、ベルト部２５をベルトカバー部３２に入れ込み、覆い部２４を覆いカバー部３１に入れ込む。防護本体２及び外カバー３が柔軟性を有しているため、防護本体２及び外カバー３を湾曲させて、外カバー３を防護本体２に着脱することができる。外カバー３を防護本体２に装着した状態では、防護本体２の全体が外カバー３によって覆われる。
【００１８】
このような構成の放射線防護用品１は、防護本体２に外カバー３を装着した状態で、人体に装着して使用される。放射線防護用品１の人体への装着は、外カバー３の覆いカバー部３１を人体の前側にして、一対のベルトカバー部３２を首に巻き付け、係止用治具３３を係合することにより行われる。放射線防護用品１を装着した状態において、外カバー３の覆いカバー部３１は、人体の胸元から首の前面部分を覆い、一対のベルトカバー部３２は、首の全周を覆う。従って、外カバー３内に収納されている防護本体２の覆い部２４は、人体の胸元から首の前面部分を覆い、一対のベルト部２５は、首の全周を覆う。これにより、防護本体２によって（遮蔽部材２１によって）、人体の喉が放射線から防護される。放射線防護用品１の使用後は、外カバー３を防護本体２から取外し、外カバー３を洗濯して除染し（外カバー３に付着した放射性物質を洗い落とし）、防護本体２の表面を濡れた布などで拭く。これにより、外カバー３及び防護本体２を汚染されていない状態に保つことができ、放射線防護用品１が再使用可能になる。
【００１９】
図３（ａ）（ｂ）、図４は、放射線防護用品１の変形例を示す。この放射線防護用品１は、スカートタイプの防護用品であり、人体の腰から膝上に亘る部分の全周を放射線から防護するものである。この放射線防護用品１では、防護本体２は、人体の腰から膝上に亘る部分の全周を覆う形状となっており、外カバー３は、このような形状の防護本体２の全体を覆うようになっている。開閉用治具３４は、本変形例では例えばチャック（登録商標）である。他の構成については、上記実施形態と同様である。なお、開閉用治具３４は、マジックテープ（登録商標）であってもよい。
【００２０】
図５（ａ）（ｂ）、図６、図７は、本発明の一実施形態に係る放射線防護用品１を示す。この放射線防護用品１は、上着タイプの防護用品であり、人体の胸から腰に亘る部分の全周を放射線から防護するものである。この放射線防護用品１では、防護本体２は、人体の胸から腰に亘る部分の全周を覆う形状となっており、外カバー３は、このような形状の防護本体２の全体を覆うようになっている。遮蔽部材２１は、人体の胴体の前を覆う第１覆い部４１と、胴体の後を覆う第２覆い部４２と、を有し、第１覆い部４１及び第２覆い部４２は、人体の肩の部分に対応する部分で繋がっている。第１覆い部４１は、人体の胴体の左前を覆う覆い部４１ａと、胴体の右前を覆う覆い部４１ｂとに分かれている。開閉用治具３４は、外カバー３の人体の背中に対応する部分に設けられている。開閉用治具３４は、本変形例では例えばチャック（登録商標）である。他の構成については、上記説明と同様である。
【００２１】
外カバー３の防護本体２への着脱は、開閉用治具３４により外カバー３を開き、外カバー３を開いた箇所から防護本体２を外カバー３内に挿入することにより行われる。このとき、覆い部４１ａ、４１ｂを各々湾曲させた状態で、覆い部４１ａ、４１ｂの先端側から防護本体２を外カバー３内に挿入する。そして、覆い部４１ａ、４１ｂを外カバー３の人体の胴体の左前、右前に対応する部分に入れ込み、また、第２覆い部４２を胴体の後に対応する部分に入れ込む。最後に、覆い部４１ａ、４１ｂを外カバー３内で広げる。このとき、覆い部４１ａと第２覆い部４２は、胴体の左横腹に対応する部分で互いに一部重なり合い、覆い部４１ｂと第２覆い部４２は、胴体の右横腹に対応する部分で互いに一部重なり合う。本変形例によれば、覆い部４１ａ、４１ｂ、及び第２覆い部４２が一体的な構成において、覆い部４１ａ、４１ｂが肩に対応する部分で第２覆い部４２と繋がっているため、外カバー３の背中に開閉用治具３４を設けることにより、容易に外カバー３を防護本体２に装着することができる。また、遮蔽部材２を原部材（一枚の長尺の遮蔽部材）から切取って作製する場合、覆い部４１ａ、４１ｂが脇に対応する部分で第２覆い部４２と繋がっている構成と比較して、幅の狭い原部材を用いることができる。これにより、幅の狭い比較的安価な市販の原部材を使用することができ、安価に放射線防護用品１を提供することができる。なお、開閉用治具３４は、マジックテープ（登録商標）であってもよい。また、外カバー３は、胴体の前に対応する部分と後ろに対応する部分とが胴体の左横腹及び右横腹に対応する部分で互いに一部重なり合うようにチャック（登録商標）又はマジックテープ（登録商標）で係合されるものであってもよい。このような構成によっても、覆い部４１ａと第２覆い部４２は、胴体の左横腹に対応する部分で互いに一部重なり合い、覆い部４１ｂと第２覆い部４２は、胴体の右横腹に対応する部分で互いに一部重なり合う。
【００２２】
図８（ａ）（ｂ）、図９は、放射線防護用品１のさらに別の変形例を示す。この放射線防護用品１は、コートタイプの防護用品であり、人体の胸から膝上に亘る部分の全周を放射線から防護するものである。この放射線防護用品１では、防護本体２は、人体の肩から膝上に亘る部分の全周を覆う形状となっており、外カバー３は、このような形状の防護本体２の全体を覆うようになっている。外カバー３を防護本体２へ装着した状態において、遮蔽部材２１の覆い部４１ａと第２覆い部４２は、胴体の左横腹に対応する部分で互いに一部重なり合い、覆い部４１ｂと第２覆い部４２は、胴体の右横腹に対応する部分で互いに一部重なり合う。他の構成については、上記変形例の上着タイプの防護用品と同様である。なお、開閉用治具３４は、マジックテープ（登録商標）であってもよい。また、外カバー３は、胴体の前に対応する部分と後ろに対応する部分とが胴体の左横腹及び右横腹に対応する部分で互いに一部重なり合うようにチャック（登録商標）又はマジックテープ（登録商標）で係合されるものであってもよい。このような構成によっても、覆い部４１ａと第２覆い部４２は、胴体の左横腹に対応する部分で互いに一部重なり合い、覆い部４１ｂと第２覆い部４２は、胴体の右横腹に対応する部分で互いに一部重なり合う。
【００２３】
図１０（ａ）（ｂ）、図１１は、放射線防護用品１のさらに別の変形例を示す。この放射線防護用品１は、エプロンタイプの防護用品であり、人体の胸から膝上に亘る部分の前面を放射線から防護するものである。この放射線防護用品１では、防護本体２は、人体の肩から膝上に亘る部分の全面を覆う形状となっており、外カバー３は、このような形状の防護本体２の全体を覆うようになっている。開閉用治具３４は、本変形例では例えばチャック（登録商標）である。他の構成については、上記実施形態と同様である。なお、開閉用治具３４は、マジックテープ（登録商標）であってもよい。
【００２４】
本実施形態の放射線防護用品１によれば、防護本体２（遮蔽部材２１を包囲する内カバー２２）が外カバー３により覆われているので、防護本体２が放射性物質により汚染されるのを防止することができる。しかも、外カバー３は、防護本体２に対して着脱自在であり、洗濯して再使用可能なものであるので、外カバー３を取外して洗濯することにより、外カバー３を除染（付着した放射性物質を洗い落とす）して再使用することができる。
【００２５】
なお、本発明は、上記実施形態の構成に限られず、種々の変形が可能である。例えば、外カバー３は、ナイロン、ポリエステル、又は不織布から成り、使い捨て可能なものであってもよい。このような構成によっても、上記実施形態と同様に、防護本体２が放射性物質により汚染されるのを防止することができる。また、このような構成によれば、外カバー３を使い捨てにして新しいものと交換することにより、放射線防護用品１を汚染されていない状態に保つことができ、放射線防護用品１を長期に亘って使用することが可能となる。また、防護本体２は、ベルト部２５を有していなくてもよい。この場合、外カバー３のベルトカバー部３２は、袋状にする必要がない。また、係止用治具３３は、一対のベルトカバー部３２の先端側を互いに係止、係止解除できるものであれば、どのようなものであってもよい。また、開閉用治具３４は、外カバー３を開閉できるものであれば、どのようなものであってもよい。また、遮蔽部材２１は、１枚の部材で形成されているのでなく、複数枚の部材を繋ぎ合せたものであってもよい。遮蔽部材は、複数の部分に分離していてもよい。
【符号の説明】
【００２６】
１    放射線防護用品
２    防護本体
３    外カバー
２１    遮蔽部材
２２、２２ａ、２２ｂ    内カバー
２３    周縁部
２４    覆い部
２５    ベルト部
３１    覆いカバー部
３２    ベルトカバー部
３３    係止用治具
３４    開閉用治具
４１、４１ａ、４１ｂ    第１覆い部
４２    第２覆い部
【図１】
0006533738.tif 000002
【図２】
0006533738.tif 000003
【図３】
0006533738.tif 000004
【図４】
0006533738.tif 000005
【図５】
0006533738.tif 000006
【図６】
0006533738.tif 000007
【図７】
0006533738.tif 000008
【図８】
0006533738.tif 000009
【図９】
0006533738.tif 000010
【図１０】
0006533738.tif 000011
【図１１】
0006533738.tif 000012